(57)【要約】【課題】ハンガーが雪面を削ることのない簡易スキーリフトを提供する。【解決手段】索条１と、索条１に取り付けられるハンガー２とを備えた簡易スキーリフトであって、ハンガー２は下端側に利用者を繋止するための繋止部４が設けられた線状部材３を備え、線状部材３の上端側は索条１が挿通された環状部材15を介して索条１に取り付けられるとともに、索条１には環状部材15が取り付けられる箇所を挟む位置に環状部材15の移動を所定の範囲内に規制するための一対の規制部材16が設けられた。雪面にハンガー２が触れたとき、ハンガー２が雪面から受ける力が索条１にそのまま伝わることがなく、ハンガー２が索条によって雪面に押し付けられることもない。したがって、雪面にハンガー２が触れたときにハンガー２が雪面を大きく削ることが防止される。【選択図】図１
2015157552.tif 000002
【特許請求の範囲】
【請求項１】
索条と、この索条に取り付けられるハンガーとを備えた簡易スキーリフトであって、前記ハンガーは一端側に利用者を繋止するための繋止部が設けられた線状部材を備え、前記線状部材の他端側は前記索条が挿通された環状部材を介して前記索条に取り付けられるとともに、前記索条には前記環状部材が取り付けられる箇所を挟む位置に前記環状部材の移動を所定の範囲内に規制するための一対の規制部材が設けられたことを特徴とする簡易スキーリフト。
【発明の詳細な説明】
【技術分野】
【０００１】
本発明は、簡易スキーリフトに関する。
【背景技術】
【０００２】
従来の簡易スキー用リフトは、離れた２地点の一方に折り返し装置、他方に原動装置を設置し、これらの装置の滑車間に索条を巻回し、この索条に複数のハンガーを所定の間隔をおいて吊り下げるとともに、原動装置の滑車を駆動して索条とハンガーを折り返し装置と原動装置の間で往復させるようになっていた。そして、ハンガーは、特許文献１に開示されているように、平面形状が略Ｔ字形となっており、その水平辺部が索条に固定され、垂直辺部がスキーヤーの腰部にあてがわれるようになっていた。
【先行技術文献】
【特許文献】
【０００３】
【特許文献１】実開昭５７−１０５８６４号公報
【発明の概要】
【発明が解決しようとする課題】
【０００４】
しかし、従来の簡易スキーリフトは、索条にハンガーが吊り下げられているため、ハンガーの下部が雪面に接触し、雪面を削ってしまうという問題があった。
【０００５】
そこで本発明は、ハンガーが雪面を削ることのない簡易スキーリフトを提供することを目的とする。
【課題を解決するための手段】
【０００６】
本発明の簡易スキーリフトは、索条と、この索条に取り付けられるハンガーとを備えた簡易スキーリフトであって、前記ハンガーは下端側に利用者を繋止するための繋止部が設けられた線状部材を備え、前記線状部材の上端側は前記索条が挿通された環状部材を介して前記索条に取り付けられるとともに、前記索条には前記環状部材が取り付けられる箇所を挟む位置に前記環状部材の移動を所定の範囲内に規制するための一対の規制部材が設けられたことを特徴とする。
【発明の効果】
【０００７】
本発明の簡易スキーリフトによれば、雪面にハンガーが触れたとき、ハンガーが雪面から受ける力が索条にそのまま伝わることがなく、ハンガーが索条によって雪面に押し付けられることもない。したがって、雪面にハンガーが触れたときにハンガーが雪面を大きく削ることが防止される。
【図面の簡単な説明】
【０００８】
【図１】本発明の簡易スキーリフトの一実施例を示すハンガーの索条への取り付け状態を示す説明図である。
【図２】同上ハンガーが索条に取り付けられた様子を示すハンガーの上端側の部分拡大図である。
【図３】同上ハンガーの下端側の部分拡大図である。
【発明を実施するための形態】
【０００９】
以下、本発明の簡易スキーリフトの実施例について、添付図面を参照しながら説明する。
【実施例１】
【００１０】
１は、離れた２地点に設置された図示しない折り返し装置の滑車と原動装置の滑車の間に巻回された索条である。索条１には、複数のハンガー２が所定の間隔をおいて吊り下げられている。なお、図面には、１つのハンガー２のみが示されている。そして、原動装置の滑車を駆動して索条１とハンガー２を折り返し装置と原動装置の間で往復させるようになっている。
【００１１】
ハンガー２は、線状部材３と、この線状部材３の下端側に設けられた、スキーヤーなどのリフトの利用者を繋止するための繋止部４から構成されている。
【００１２】
線状部材３は、長さ１００〜１５０ｃｍのワイヤーロープ５を、可撓性を有する合成樹脂材料からなる上部ホース６，下部ホース７で被覆してなる。これにより、利用者にワイヤーロープ５が直接触れないようになっている。上部ホース６は、長さ１０〜１５ｃｍであって、上部ホース６と下部ホース７の間には、合成ゴム材料からなるスペーサ６ｂ，７ａが配置されている。この構成により、上部ホース６と下部ホース７の接続部において、線状部材３が容易に曲がるようになっている。
【００１３】
ワイヤーロープ５の上端は、折り返されて圧着部材８によりワイヤーロープ５自身に固定されており、これによりワイヤーロープ５の上端には輪状部９が形成されている。また、輪状部９の内側には、表面が平滑な金属製の平滑部材10が設けられており、これにより後述する環状部材との摩擦力が低減されるようになっている。そして、圧着部材８と上部ホース６の間には、合成ゴム材料からなるスペーサ６ａが配置されている。
【００１４】
繋止部４は、長さ２０〜４０ｃｍの可撓性を有しない合成樹脂材料からなるパイプ11からなり、パイプ11の中央にワイヤーロープ５が挿通されている。そして、パイプ11はワイヤーロープ５を軸に自在に回動できるようになっており、パイプ11は、利用者の股間に挟まれることで利用者の臀部に固定され、或いは、利用者が手で把持するようになっている。また、パイプ11を合成樹脂材料から形成されたものとすることにより、パイプ11に接した利用者が冷たさを感じることが少ないようになっている。
【００１５】
ワイヤーロープ５の下端は、折り返されて圧着部材12によりワイヤーロープ５自身に固定されており、これによりワイヤーロープ５の下端には輪状部13が形成されている。そして、下部ホース７とパイプ11の間には、合成ゴム材料からなるスペーサ７ｂが配置され、パイプ11と圧着部材12の間には、金属材料からなるワッシャー14が配置されている。
【００１６】
索条１には、一般にリングキャッチと呼ばれる、ネジを利用して環状部を開閉自在に構成した環状部材15が挿通され、環状部材15を介してハンガー２が索条１に取り付けられている。より具体的には、ワイヤーロープ５の輪状部９と索条１に環状部材15が挿通されることで、ハンガー２が索条１に取り付けられている。このように環状部材15をリングキャッチにより構成することにより、索条１からのハンガー２の脱着が容易になっている。
【００１７】
また、索条１には、環状部材15が取り付けられる箇所を挟む位置に、一対の規制部材16が設けられている。規制部材16は、環状部材15の移動を所定の範囲内に規制するためのものであって、環状部材15に接する側に設けられた一対の内側規制部材17と、環状部材15が取り付けられる箇所からみて内側規制部材17の外側に設けられた金属材料からなる外側規制部材18から構成されている。
【００１８】
内側規制部材17は、略円筒形状を有し、索条１に挿通されている。内側規制部材17は、簡易スキーリフトの運行時に環状部材15に当接する部分であることから、環状部材15を傷つけず、かつ、耐摩耗性の高い合成樹脂材料から形成されている。そのような合成樹脂材料としては、例えば、ナイロン６などのナイロン樹脂が好ましく用いられ、具体的には、ＮＣナイロンという名称、又はＭＣナイロン（登録商標）という名称で市販されているものを用いることができる。
【００１９】
外側規制部材18は、略円筒形状を有し、内側規制部材17が外側に移動しないように、強固に索条１に圧着固定されている。外側規制部材18は、例えば、アルミニウムから形成されたものを用いることができる。
【００２０】
本実施例の簡易スキーリフトの運転時には、図示しない原動装置を作動させて索条１を牽引する。スキーを装着した利用者は、ハンガー２のパイプ11を股間に挟んで臀部に固定し下部ホース７を手で把持、或いは、パイプ11を手で把持する。この状態で、利用者は、スキーを雪面に接触させた状態で、ハンガー２により牽引される。ここで、パイプ11は合成樹脂材料から形成されているので、パイプ11に接した利用者が冷たさを感じることが少ない。また、下部ホース７により利用者がワイヤーロープ５に直接触れることがないため、利用者の手袋が痛むことが防止され、利用者が手に冷たさを感じることも少ない。
【００２１】
また、索条１とハンガー２は環状部材15で接続されており、索条１とハンガー２の線状部材３の角度は自在に変化可能となっている。また、ハンガー２が環状部材15と接する輪状部９の内側に設けられた平滑部材10により、ハンガー２と環状部材15との間の摩擦力が低減される。さらに、環状部材15に当接する内側規制部材17は合成樹脂材料から形成されているため、環状部材15と規制部材16との間の摩擦力も低減される。このため、斜面の斜度が大きく変化した場合や、斜度３０度程度の急斜面においても、利用者を安全に牽引することができ、利用者の乗り心地もよい。
【００２２】
また、索条１とハンガー２は環状部材15で接続され、環状部材15は規制部材16により規制される所定の範囲で自在に移動可能となっている。このため、利用者が牽引されていない状態において、雪面にハンガー２が触れたとき、ハンガー２が雪面から受ける力が索条１にそのまま伝わることがなく、ハンガー２が索条１によって雪面に押し付けられることもない。したがって、雪面にハンガー２が触れたときにハンガー２が雪面を大きく削ることが防止される。
【００２３】
さらに、ハンガー２のパイプ11はワイヤーロープ５を軸に自在に回動できるようになっており、ハンガー２は、上部ホース６と下部ホース７の接続部において、線状部材３が容易に曲がるようになっている。このため、利用者が牽引されていない状態において、雪面にハンガー２が触れたとき、ハンガー２が雪面から受ける力をより効果的に逃がすことができる。
【００２４】
簡易スキーリフトを設置、或いは解体する場合においては、リングキャッチにより構成された環状部材15を開閉することにより、索条１からのハンガー２の脱着を容易に行うことができる。
【００２５】
以上のように、本実施例の簡易スキーリフト用ハンガーは、索条１と、この索条１に取り付けられるハンガー２とを備えた簡易スキーリフトであって、前記ハンガー２は下端側に利用者を繋止するための繋止部４が設けられた線状部材３を備え、前記線状部材３の上端側は前記索条１が挿通された環状部材15を介して前記索条１に取り付けられるとともに、前記索条１には前記環状部材15が取り付けられる箇所を挟む位置に前記環状部材15の移動を所定の範囲内に規制するための一対の規制部材16が設けられている。本実施例の簡易スキーリフトによれば、雪面にハンガー２が触れたとき、ハンガー２が雪面から受ける力が索条１にそのまま伝わることがなく、ハンガー２が索条によって雪面に押し付けられることもない。したがって、雪面にハンガー２が触れたときにハンガー２が雪面を大きく削ることが防止される。
【００２６】
なお、本発明は本実施例に限定されるものではなく、種々の変形実施が可能である。例えば、繋止部をパイプで構成する代わりに、円盤で構成してもよい。
【符号の説明】
【００２７】
１  索条
２  ハンガー
４  繋止部
３  線状部材
15  環状部材
16  規制部材
【図１】
2015157552.tif 000003
【図２】
2015157552.tif 000004
【図３】
2015157552.tif 000005